(57)【要約】      （修正有）【課題】転倒等の事故を効果的に防止することのできるトイレ補助装置を提供する。【解決手段】便器１の前に横たわり、便座への着座者を支える身体支持位置と着座者の離座を許容する退避位置との間で移動自在な身体支持部２、着座姿勢でロック位置とロック解除位置との間で操作可能で、ロック位置において身体支持部２の退避位置への移動を規制するロック体、および、ロック体の状態遷移に伴って断接状態間を遷移するスイッチを備えた。【選択図】図１
2019084220.tif 000002
【特許請求の範囲】
【請求項１】
便器の前に横たわり、便座への着座者を支える身体支持位置と着座者の離座を許容する退避位置との間で移動自在な身体支持部、
着座姿勢でロック位置とロック解除位置との間で操作可能で、ロック位置において前記身体支持部の退避位置への移動を規制するロック体、
および、前記ロック体の状態遷移に伴って断接状態間を遷移するスイッチ、
を備えたトイレ補助装置。
【請求項２】
前記スイッチはロック体に形成される押動部によりアクチュエータ部が押動されて断接操作される請求項１記載のトイレ補助装置。
【請求項３】
設置基部に固定される支持体ベース部に前記身体支持部を移動操作可能に保持した身体支持具と、
前記スイッチおよびロック体を前記設置基部に固定されるケース内に収納したロック操作部とを有し、
前記ロック体は、身体支持具内に進入し、ロック状態において身体支持部の退避位置への移動を規制する請求項１または２記載のトイレ補助装置。
【請求項４】
前記ロック体は、ロック位置とロック解除位置との間をスライド操作可能に形成されるとともに、
前記身体支持部には、該身体支持部の退避位置側への移動経路がロック位置における前記ロック体により閉塞される干渉部と、前記ロック体がロック解除位置にあるときに前記移動経路が開放される非干渉部とが形成される請求項１、２または３記載のトイレ補助装置。
【請求項５】
前記身体支持部は身体支持位置と退避位置との間を回転操作可能な請求項１から４のいずれかに記載のトイレ補助装置。
【発明の詳細な説明】
【技術分野】
【０００１】
本発明はトイレ補助装置に関するものである。
【背景技術】
【０００２】
要介助者の使用を考慮したトイレ補助装置としては、特許文献１に記載のものが知られている。この従来例において、トイレ補助装置は、使用姿勢において便器の前方に横設された姿勢を取り、利用者は、トイレ補助装置に両肘を乗せることにより身体のバランスを取ることができる。
【０００３】
また、トイレ補助装置は、便器からの離座、あるいは便座への着座のために便器の前方から退避する退避位置に移動操作することが可能であるが、介助者がいない状態でトイレ補助装置を退避位置に移動させて自分で起立しようとした際の不慮の事故を防止するために、利用者の離座を検出した際にはナースコール信号を出力するように構成される。
【先行技術文献】
【特許文献】
【０００４】
【特許文献１】特許第５０７９３１４号公報
【発明の概要】
【発明が解決しようとする課題】
【０００５】
しかし、上述した従来例において、ナースセンター等の介助者とトイレとの距離にも影響するが、要介助者が離座したタイミングでは、既に自力で起立動作をしてしまっている状態なので、転倒等を確実に防止できないという問題がある。
【０００６】
本発明は、かかる問題を解決すべくなされたものであって、転倒等の事故を効果的に防止することのできるトイレ補助装置の提供を目的とする。
【課題を解決するための手段】
【０００７】
本発明によれば、上記目的は、
便器１の前に横たわり、便座への着座者を支える身体支持位置と着座者の離座を許容する退避位置との間で移動自在な身体支持部２、
着座姿勢でロック位置とロック解除位置との間で操作可能で、ロック位置において前記身体支持部２の退避位置への移動を規制するロック体３、
および、前記ロック体３の状態遷移に伴って断接状態間を遷移するスイッチ４、
を備えたトイレ補助装置を提供することにより達成される。
【０００８】
本発明において、トイレ補助装置は、身体支持部２とロック体３とスイッチ４とを備えており、身体支持部２は身体支持位置において着座者の身体を支え、不用意な離座による事故を防止するために便座の前に横たわる姿勢に保持される。この状態から離座するには一旦身体支持部２を退避位置に移動させる必要があり、ロック体３がロック状態のときには身体支持位置から退避位置への移動が規制される。
【０００９】
ロック体３は着座者への過度の拘束とならないように着座位置から操作可能であり、該ロック体３をロック解除状態に移行させることにより身体支持部２を退避位置に移動させることができる。
【００１０】
ロック体３のロック解除状態への遷移に伴って断接するスイッチ４を備える本発明において、要介助者の起立動作を前もって知ることができるために、例えば、スイッチ４をナースコールのトリガーとすることによって、転倒等による不慮の事故を未然に防ぐことが可能になる。
【００１１】
スイッチ４は、ロック体３の状態遷移に伴ってＯＮ、ＯＦＦが切り替われば適宜に構成することができるが、
前記スイッチ４はロック体３に形成される押動部５によりアクチュエータ部６が押動されて断接操作されるトイレ補助装置を構成すると、ロック体３の操作にスイッチ４の断接動作を直接連動させることができるために、動作信頼性が高まる上に、構造も簡単になる。
【００１２】
さらに、本発明の他の態様として、
設置基部７に固定される支持体ベース部８に前記身体支持部２を移動操作可能に保持した身体支持具９と、
前記スイッチ４およびロック体３を前記設置基部７に固定されるケース１０内に収納したロック操作部１１とを有し、
前記ロック体３は、身体支持具９内に進入し、ロック状態において身体支持部２の退避位置への移動を規制するトイレ補助装置を構成することができる。
【００１３】
支持体ベース部８に身体支持部２を保持した身体支持具９と、ロック体３およびスイッチ４をケース１０に収容したロック操作部１１とを各々独自に設置基部７に固定するように構成される本発明において、ロック操作部１１を有しない身体支持具９のみのトイレ補助装置にロック操作部１１を別途設置するだけで身体支持具９の進退支持部にロック機能、およびスイッチ４による監視機能を付加でき、製品バラエティーを増やすことが可能になる。
【００１４】
また、本発明の他の態様として、
前記ロック体３は、ロック位置とロック解除位置との間をスライド操作可能に形成されるとともに、
前記身体支持部２には、該身体支持部２の退避位置側への移動経路がロック位置における前記ロック体３により閉塞される干渉部１２と、前記ロック体３がロック解除位置にあるときに前記移動経路が開放される非干渉部１３とが形成されるトイレ補助装置を構成することができる。
【００１５】
身体支持部２の身体支持位置から退避位置までの移動経路は、並進移動によることも可能であるが、回転操作により行うと、操作、構造ともに簡単にすることができる。
【図面の簡単な説明】
【００１６】
【図１】本発明を示す図で、（ａ）は身体支持部が身体支持位置にある状態を示す斜視図、（ｂ）は身体支持部が退避位置にある状態を示す斜視図である。
【図２】本発明の要部を示す身体支持部を破断した状態の正面図である。
【図３】図２の３Ａ-３Ａ線断面図である。
【図４】身体支持部を退避位置に移動させた状態を示す側面図である。
【図５】本発明の分解斜視図である。
【図６】ロック操作部の動作を示す図で、（ａ）はロック解除状態を示す図、（ｂ）はロック状態を示す図である。
【図７】ロック状態を示す図で、（ａ）は図６（ｂ）の７Ａ方向矢視図、（ｂ）は図７（ａ）の７Ｂ-７Ｂ線断面図である。
【図８】ロック解除状態を示す図で、（ａ）は図６（ａ）の８Ａ方向矢視図、（ｂ）は図８（ａ）の８Ｂ-８Ｂ線断面図である。
【図９】本発明の変形例を示す図で、（ａ）は身体支持部が身体支持位置にある状態を示す斜視図、（ｂ）は身体支持部が退避位置にある状態を示す斜視図である。
【発明を実施するための形態】
【００１７】
図１以下に示すように、トイレ補助装置は設置基部７としての壁面に身体支持具９とロック操作部１１とを固定して形成される。
【００１８】
身体支持具９は、壁面７に固定される支持体ベース部８に身体支持部２を連結して形成され、支持体ベース部８にはカバー体１４が装着される。
【００１９】
身体支持部２は、肘を載せることができ、さらにこの状態で身体を支えるに十分な強度を有する平板直杆形状に形成される。この身体支持部２は、図１（ａ）に示すように、便器１の前に水平姿勢で横たわる身体支持位置と、図１（ｂ）に示すように、身体支持位置から上方に回転して壁面７に沿う退避位置との間で移動可能で、着座姿勢で身体支持部２を身体支持位置に保持すると、着座者が肘を載せることができる程度の高さに設置される。
【００２０】
また、身体支持部２は、身体支持位置にあるとき、着座者の立ち上がりを規制する程度に便器１に接近して配置される。
【００２１】
身体支持部２を壁面７に連結するために、支持体ベース部８には図５に示すように、対向する一対のヒンジ片８ａが設けられ、身体支持部２の回転基端には回転軸となり、ナット１５ｂにより締結されてヒンジ片８ａ間に架設されるボルト１５の挿通孔８ｂが開設される。
【００２２】
さらに、図３、５に示すように、身体支持部２の回転基端には幅方向全長にわたってストッパ突部２ａが形成されており、該ストッパ突部２ａを支持体ベース部８のストッパ開口８ｃに係止させることにより水平な身体支持位置に保持される。
【００２３】
一方、ロック操作部１１は、図５に示すように、ロックベース部１６にスライドカバー部１７を連結したケース１０内にロック体３、スイッチ４、クリック用板バネ１１ａを収容して形成され、ロックベース部１６に開設したスクリュー挿通孔１６ａに挿通する図外のスクリューにより壁面７に固定される。
【００２４】
スライドカバー部１７はロックベース部１６に対して側方に移動自在であり、後述するように、ロック位置とロック解除位置との間を移動する。このスライドカバー部１７の上端部には、表示孔１７ａが開設された表示片１７ｂが上方に向けて突設されており、スライドカバー部１７のロック位置とロック解除位置間の移動に伴って表示孔１７ａには、ロックベース部１６に施された２色の識別カラー１６ｂ、１６ｃのいずれかが表示される（図６参照）。
【００２５】
クリック用板バネ１１ａは中心部を下方に向けてＶ字形状に屈曲させた板バネであり、スライドカバー部１７をロック位置とロック解除位置のいずれかに節度停止させるために設けられる。節度感を発生させるために、ロックベース部１６には乗り越え突部１６ｄが設けられており、図５に示すように、スライドカバー部１７を側方に移動させるとクリック用板バネ１１ａの屈曲部が乗り越え突部１６ｄを乗り越えて節度感（クリック感）が発生し、同時に反対方向への不用意な移動が規制される。
【００２６】
スイッチ４は、下端部にアクチュエータ部６が配置されたマイクロスイッチ４であり（図５（ｂ）参照）、ロックベース部１６に固定される。このスイッチ４の出力端子４ａへの配線は、ロックベース部１６に開設された通線開口１６ｅ、および壁面７に開設された図外の通線開口を通って壁面７に固定された配線ボックス１８、あるいは制御ボックス等に結線される（図３参照）。
【００２７】
スイッチ４のアクチュエータ部６をスライドカバー部１７への操作により断接操作するために、スライドカバー部１７には押動部５が形成される。本例において、図６（ａ）に示すロック解除位置において押動部５はスイッチ４のアクチュエータ部６を押下しないために、スイッチ４はＯＦＦ状態となっており、スライドカバー部１７を図６（ｂ）に示すように、ロック位置にスライドさせると押動部５によりアクチュエータ部６が押下され、スイッチ４はＯＮ状態に遷移する。
【００２８】
また、ロック操作部１１のロック体３は図５に示すように、ケース固定部３ａからストッパ突部３ｂを突設して形成される。本例においてロック体３は、平板状のケース固定部３ａの側縁に側面視三角形状のストッパ突部３ｂを立ち上げて形成され、ケース固定部３ａにおいてスライドカバー部１７に固定される。
【００２９】
ロック体３をスライドカバー部１７に固定した状態でロック体３は前方に向けて突設され、図６（ｂ）、図７に示すようにロック位置においてストッパ突部３ｂは身体支持部２の回転基端部の幅方向中間部に位置する。
【００３０】
身体支持部２の回転基端部には、ロック体３がロック位置にある状態で身体支持部２を支持位置から退避位置まで回転させる際に上記ストッパ突部３ｂに干渉する干渉部１２が設けられる。図７（ｂ）に示すように、本例において干渉部１２は、身体支持部２の回転基端に凹設される凹部として形成される。
【００３１】
また、身体支持部２の回転基端部には、ロック体３がロック解除位置にある状態で身体支持部２を支持位置から退避位置まで回転させる際に上記ストッパ突部３ｂに干渉しない非干渉部１３が設けられる。
【００３２】
図８に示すように、本例において非干渉部１３としては身体支持部２の側壁が利用されており、スライドカバー部１７のロック解除位置までの移動に伴ってロック体３のストッパ突部３ｂは身体支持部２の側壁と支持体ベース部８のヒンジ片８ａとにより形成される間隙に位置する。
【００３３】
したがって本例において、スライドカバー部１７がロック位置にあるときには、身体支持位置にある身体支持部２の干渉部１２が退避位置まで移動する際の移動経路はストッパ突部３ｂにより閉塞された状態となるために、退避位置への移動が規制される。
【００３４】
この状態からスライドカバーをロック解除位置までスライド操作すると、ストッパ突部３ｂは身体支持部２の非干渉部１３に対応し、身体支持部２の退避位置への移動が許容される。
【００３５】
なお、以上においては身体支持部２の側壁部を非干渉部１３とした場合を示したが、ロック解除位置におけるストッパ突部３ｂを身体支持部２の幅方向中間部に設定し、かつ、例えば、対応する領域を身体支持部２の回転中心を中心とする円筒形状にする等、ストッパ突部３ｂが身体支持部２の回転操作に干渉しない形状にしてもよい。
【００３６】
以上の構成の下、要介助者が便器１を使用する際、介助者は便器１への着座を確認した後、身体支持部２を身体支持位置まで垂直回転操作してスライドカバー部１７をロック位置までスライド操作する。上述したように、ロック位置へのスライド操作によりスライドカバー部１７の表示孔１７ａには、ロックベース部１６に施された２色の識別カラー１６ｂ、１６ｃのいずれか一方、例えば赤色が表示され、利用者にロック状態であることを知らせる。
【００３７】
身体支持部２はロック状態で便器１の前で水平姿勢を保持しているために、身体支持部２に肘等を乗せて身体を支えることが可能であり、さらに、身体の揺れ等による転倒を確実に防止することができる。
【００３８】
便器１の利用を終了した際には、図外のナースコールボタン等を操作して介助者を呼び出すことができ、介助者はロック操作部１１をロック解除操作に移行させた後、身体支持部２を上方に回転させて退避位置に移行、保持させて要介助者を離座させることができる。
【００３９】
要介助者がナースコールボタン等を操作することなく自らロック操作部１１をロック解除状態に移行させると、スライドカバー部１７の押動部５によりスイッチ４のアクチュエータ部６が操作されてスイッチ４はＯＮ状態に遷移し、ナースセンター等への通知がなされる。
【００４０】
この結果、要介助者の具体的な離座行動に先立って介助者が知ることができるために、より早期の離座、あるいは離座後の行動に対する介助が可能になり、不慮の事故を効率的に防止することができる。
【００４１】
なお、スイッチ４のＯＮ遷移によりナースセンター等への通知に加え、介助者の到着を待つような要介助者への音声出力をする等、適宜の操作を行うようにすることも可能である。
【００４２】
また、以上においては身体支持部２を垂直回転させて身体支持位置と退避位置との間を移動させる場合を示したが、図９に示すように、水平回転させることにより位置変換したり、あるいは身体支持位置から水平並進移動して退避位置に移動させ、さらには、一旦並進移動させた後、回転させて位置変換するなど、適宜変更が可能である。
【００４３】
図９において上述した実施の形態と実質的に同一の構成要素は図中に同一の符号を付して説明を省略する。
【符号の説明】
【００４４】
１        便器
２        身体支持部
３        ロック体
４        スイッチ
５        押動部
６        アクチュエータ部
７        設置基部
８        支持体ベース部
９        身体支持具
１０      ケース
１１      ロック操作部
１２      干渉部
１３      非干渉部
【図１】
2019084220.tif 000003
【図２】
2019084220.tif 000004
【図３】
2019084220.tif 000005
【図４】
2019084220.tif 000006
【図５】
2019084220.tif 000007
【図６】
2019084220.tif 000008
【図７】
2019084220.tif 000009
【図８】
2019084220.tif 000010
【図９】
2019084220.tif 000011